(57)【要約】【課題】軒樋と集水器との接続部分の強度を増加させ、積雪や豪雨などにより接続部分が変形せず、軒樋を支持するブラケットの使用数を減少でき、ブラケットの取り付け作業を軽減できる軒樋接続構造を提供する。【解決手段】前耳部の内側にブラケットの係止溝を有する軒樋と、軒樋の端部を側壁に設けた軒樋挿入口に挿入して軒樋を接続する集水器を有する軒樋接続構造であって、前記集水器の両側に軒樋が接続され、当該軒樋同士が前記係止溝中に挿入された棒状補強具によって連結されていることを特徴とする軒樋接続構造により提供する。前記棒状補強具は、前記係止溝中、前記軒樋挿入口から外方に向けて所定の範囲まで挿入されている。【選択図】図１
2010116723.tif 000002
【特許請求の範囲】
【請求項１】
前耳部の内側にブラケットの係止溝を有する軒樋と、軒樋の端部を側壁に設けた軒樋挿入口に挿入して軒樋を接続する集水器を有する軒樋接続構造であって、
前記集水器の両側に軒樋が接続され、当該軒樋同士が前記係止溝中に挿入された棒状補強具によって連結されていることを特徴とする軒樋接続構造。
【請求項２】
前記棒状補強具は、前記係止溝中、前記軒樋挿入口から外方に向けて所定の範囲まで挿入されていることを特徴とする請求項１に記載の軒樋接続構造。
【発明の詳細な説明】
【技術分野】
【０００１】
本発明は、軒樋接続構造に関し、更に詳しくは、軒樋と集水器との接続部分の強度を増加させ、積雪や豪雨などにより接続部分が変形せず、軒樋を支持するブラケットの使用数を減少でき、ブラケットの取り付け作業を軽減できる軒樋接続構造に関する。
【背景技術】
【０００２】
家屋の屋根に設置されている軒樋は、軒樋金具であるブラケットにより支持して軒板に固定され、軒樋の端部が集水器と接続され、雨水を集水器の下部に連結された堅樋から排水溝又は貯水槽に排水するようにしている。
【０００３】
この集水器は、軒樋とオーバーラップする部分を持たせ、軒樋が伸縮したとき、接続部分が相互に摺動し軒樋の外れや破損などを防止するようにしている。そして、この接続部分は、多量の積雪や豪雨などにより前方に膨らむなど変形しやすく、十分な強度が必要とされる。
【０００４】
従来、この接続部を補強するためには、集水器を銅線などで吊って支持するか、軒樋の取り付け位置を下げて積雪荷重を軽減することが行われている。しかし、集水器を銅線などで吊っても軒樋と一体的に強化するわけではないので、互いの位置ずれを防止できず、一方、軒樋の位置を下げるとなると竪樋を含めた全体的な設計変更が必要となるだけでなく、意匠性の問題も生じてくる。
【０００５】
このため、軒樋の屋外側の上端を吊りあげる前耳片と軒樋を軒鼻隠し板に固定するブラケットに着目し、軒樋の前耳片やブラケットの形状や構造を改良する取り組みがなされている。
【０００６】
例えば、特許文献１には、建物の側壁等に取り付けられた固定ベースより適宜間隔で突設されたブラケットに軒樋を係止する軒樋構造において、剛性を有する上部ブラケットの下側に下部ブラケットを固定してブラケットを２段構成にすることが提案されている。これにより、ブラケットがより大きな荷重に耐えるようになる。しかし、このようなブラケット構造としても、軒樋と竪樋との接続部に取り付けられず補強することはできない。
【０００７】
そのため、ブラケットの使用数を増加させること、すなわち、接続部近傍におけるブラケットの取り付け間隔を短縮することが現実的な対応策とされている。
【０００８】
すなわち、図４のように、ブラケット３、３’を互いに接近した位置に取り付けることが行われている。これにより接続部では、ブラケット３、３’の設置間隔が通常４０ｃｍ以下、時には３０ｃｍ以下と狭くなり、しかも、屋根のコーナーのように軒樋の端部４８に近い所では、勾配をとるためにブラケット３’’の取り付けが必要なことから、より短い距離にブラケット３’と３’’が存在することになっていた。
接続部の強度を高めるには軒樋金具（ブラケット）のピッチを狭めなければならないが、集水器の幅を小さくできず限界がある。また、ブラケットの取り付け間隔を短縮することは、ブラケットの使用数を増加することになり、危険を伴う軒樋への取り付け作業が増えるだけでなく美観が損なわれることにもなる。
【０００９】
近年の異常気象は深刻で集中豪雨や豪雪がますます激化することが予想され、現状の軒樋接続構造では到底不十分であり、新たな解決手段が求められていた。
【特許文献１】特開平９−１８９１０４号公報
【発明の開示】
【発明が解決しようとする課題】
【００１０】
本発明の課題は、従来技術の問題点に鑑み、軒樋と集水器との接続部分の強度を増加させ、積雪や豪雨などにより接続部分が変形せず、軒樋を支持するブラケットの使用数を減少でき、ブラケットの取り付け作業を軽減できる軒樋接続構造を提供することにある。
【課題を解決するための手段】
【００１１】
本発明者は、上記課題を解決するために鋭意研究を重ねた結果、軒樋の屋外側前耳部にあるブラケット係止用の溝を利用して、これに棒状補強具を溝の長手方向に挿入することで、軒樋と集水器とを一体的に連結すれば、軒樋と集水器との接続部の強度が大幅に補強され、接続部に大きな荷重がかかっても変形しにくくなることを見出し、本発明を完成するに至った。
【００１２】
すなわち、本発明の第１発明によれば、前耳部の内側にブラケットの係止溝を有する軒樋と、軒樋の端部を側壁に設けた軒樋挿入口に挿入して軒樋を接続する集水器を有する軒樋接続構造であって、前記集水器の両側に軒樋が接続され、当該軒樋同士が前記係止溝中に挿入された棒状補強具によって連結されていることを特徴とする軒樋接続構造が提供される。
【００１３】
また、本発明の第２発明によれば、第１の発明において、前記棒状補強具は、前記係止溝中、前記軒樋挿入口から外方に向けて所定の範囲まで挿入されていることを特徴とする軒樋接続構造が提供される。
【発明の効果】
【００１４】
本発明の軒樋接続構造は、上記のように補強具を集水器と軒樋の接続部に取り付けているので、強度が増強され、その結果、軒樋に短時間に大量の雨水が流れこんだり、雪が大量に積もっても、あるいは地震で複雑な方向の応力が加わっても、軒樋と集水器との接続部分が破壊される危険が回避できる効果がある。
また、使用される棒状補強具は、比較的容易に製作でき、しかも接続部の補強すべき個所に簡単に取り付けることができる。
【００１５】
また、従来は接続部を補強するために、水勾配が狂わないようにブラケットを集水器の左右の２ヵ所に接近させ、間隔を狭くして軒樋に取り付けていたが、本発明では棒状補強具を用いているので、接続部分に簡単に挿入して増強でき、ブラケットの取り付け間隔を広げることが可能となる。これによりブラケットの使用本数を減らすことができ、高所で危険な取り付け作業を低減でき、しかも美観が増すという効果がある。
【発明を実施するための最良の形態】
【００１６】
以下、本発明の軒樋接続構造について、図面を参照しながら、詳細に説明する。図１は、本発明の軒樋接続構造を示しており、集水器と軒樋との接続部に補強具を挿入した状態の斜視図であり、図２は、図１の接続部のＡ−Ａ線で切断したときの側面図である。図３は、本発明の平面図（Ｂ）である。図４は、従来例であり、集水器と軒樋との接続部分をブラケットのみで補強した状態を示す平面図である。
【００１７】
軒樋は、押出成形法により一体成形された硬質塩化ビニル製のものが主に採用されているが、温度変化によって伸縮する。そのため、軒樋４は、集水器５に対して伸縮部分をもって接続されることになる。
【００１８】
すなわち軒樋の端部を集水器５の側壁に設けた軒樋挿入口６に挿入して軒樋４を接続すると、接続部分は２枚の板がオーバーラップした状態になる。接続部分の長さは、軒樋、集水器の寸法、ブラケットの支持能力、降雨量、降雪量、風力等によって適宜決定されるが、５〜２０ｃｍ、好ましくは５〜１０ｃｍである。接続部分は、板同士を単に重ねた状態であるから、例えば豪雪で接続部分に多量の雪が溜まると軒樋の前壁方向に大きな力が加わり、捻り応力が加わることでブラケット３から軒樋が外れ、接続部が破壊されてしまう。
【００１９】
このため本発明では、軒樋４と集水器５がオーバーラップしている接続部分の強度を高めるために、特定の棒状補強具を特定位置に取り付けて補強部１を構成するようにした。
【００２０】
本発明において棒状補強具１０は、十分な長さを有する細長い剛直な棒状体である。材質は、たとえばアルミニウム、ステンレス鋼、鉄鋼、あるいはチタニウムなどの金属のほか、硬質塩化ビニル、ポリカーボネート等の合成樹脂も使用できる。好ましいのは、剛性が高い金属の棒状体である。また、一時的に変形したとしても温度変化などにより元の形状に戻る性質を有する形状記憶合金を採用したり、外周をゴムなどで被覆して摩擦を高めることもできる。合成樹脂であれば、剛性を高めるために炭素繊維、ガラス繊維、アラミド繊維などを配合したり、それら織布との複合材を用いても良い。
【００２１】
棒状補強具１０の形状は、細長い丸棒、断面三角あるいは四角などの多角形の棒状体、断面Ｕ字形棒状体、断面Ｌ字形棒状体が挙げられる。これらは、中実体でも中空体でもよい。
【００２２】
軒樋４の屋外側の前耳部２１は、係止溝２が図２に示すような断面形状とされているものが多い。このような軒樋であれば、棒状補強具１０は、断面形状が軒樋４の屋外側耳部の係止溝２と類似する断面Ｕ字形棒状体又は断面Ｌ字形棒状体であることが好ましい。軒樋の前耳部の係止溝２に容易に挿入でき、しかも一旦挿入されると外れ難いからである。
【００２３】
棒状補強具１０は、少なくとも軒樋４と集水器５の接続部分を全部カバーできる長さでなければならない。すなわち棒状補強具１０は、一方の軒樋挿入口６から集水器５の上部壁面を横断して他方の軒樋挿入口を超える必要がある。その全長は、１０〜５０ｃｍで、１５〜３０ｃｍがより好ましい。これにより係止溝への挿入を困難にせずに十分な補強強度をもたせることができる。
【００２４】
棒状補強具１０の太さは、軒樋前耳部２１の係止溝２の幅と同等かやや小さい寸法とする。全長にわたって均等の太さである必要はないが、途中に細すぎる部分があると折れ曲がってしまうので好ましくない。表面状態は、平滑でもよいが凹凸を付けたり、粗雑な加工を施しておけば係止溝２内で軒樋との摩擦力を大きくすることができ、外れにくくなる。棒状補強具１０の外周の一部に、紐や小突起（摘み）を設けて取り付けや抜出しを容易にすることもできる。
【００２５】
棒状補強具１０を取り付けることで、脆かった接続部分が強化され、樋の長手方向に直交する両側のブラケット３、３’と相俟って、頑丈な２点支持が形成される。
【００２６】
次に、集水器と軒樋の接続部分を補強する施工方法を述べる。まず軒樋の前耳部の係止溝に合うような十分に長い棒状補強具１０を用意して、図１に示すように棒状補強具１０を挿入する。
【００２７】
棒状補強具１０の取り付け場所は、軒樋前壁の前耳２１の係止溝２内であり、集水器５の壁面上部を横断するように挿入する。係止溝中、前記軒樋挿入口から外方に向けて所定の範囲まで挿入されていることが望ましい。この際、棒状補強具１０は、接続部分の中心線Ａ−Ａに対して実質的に左右均等距離になって補強部１を構成することが望ましい。棒状補強具１０と軒樋４との当接部分が長くなるほど摩擦力が大きくなり強度が強くなるから、この当接部分が、左右ともに３ｃｍ以上となり、５ｃｍ以上確保できることがより好ましい。軒樋の左右どちらかに偏って補強具を挿入すると、十分な強度を保てない場合がある。
【００２８】
次に、接続部分の両側にブラケットを２個取り付ける。ブラケットは、接続部よりも外側の位置に、軒樋の前耳に頭部を挿入して後耳を跨ぐように取り付けられる。本発明によれば、棒状補強具１０が挿入されることで従来よりも接続部の強度が増すことから、２個のブラケット３、３’の設置間隔は、５０ｃｍを超え９０ｃｍ以内、好ましくは６０ｃｍ以上８０ｃｍ以内に広げることもできる。
軒樋は、ブラケット３の先端や後端で軒樋４の前耳２１と後耳を掴むか、持ち上げて、ブラケット３の付根で軒鼻隠し板３４に固着することによって、軒樋４を軒先に取り付ける。
【００２９】
なお、集水器５の下部には、竪樋との接続のための部品として、接続筒部７などが設けられる。また、集水器の接続部に挿入する軒樋の端部にストッパー４６を取り付け、軒樋が集水器の接続部から離脱せず、雨水の漏洩を防止することができる。
【００３０】
以上、本発明の軒樋接続構造を図面により詳述したが、具体的な構成はこれに限られるものではなく、本発明の目的を逸脱しない範囲で設計の変更等があっても本発明に含まれる。例えば、ブラケットで軒樋を吊るのではなく、軒樋の下部を受け具で支えるようにしてもよい。また、屋根に新たに軒樋を設置する際ではなく、すでに設置されている軒樋に対して棒状補強具を後付けすることも可能である。
【図面の簡単な説明】
【００３１】
【図１】本発明の軒樋接続構造を示しており、集水器と軒樋との接続部に補強具を挿入した状態の斜視図である。
【図２】図１の接続部をＡ−Ａ線で切断したときの側面図である。
【図３】本発明の軒樋接続構造の平面図である。
【図４】従来の軒樋接続構造であり、集水器と軒樋との接続部分をブラケットのみで補強した状態を示す平面図である。
【符号の説明】
【００３２】
１      補強部        
２      軒樋前耳部の係止溝
２１    軒樋前耳部
３、３’、３’’  ブラケット
４、４’  軒樋
５      集水器
６      集水器の軒樋挿入口
７      集水器の接続筒部
８      竪樋接続部
１０    補強具
【図１】
2010116723.tif 000003
【図２】
2010116723.tif 000004
【図３】
2010116723.tif 000005
【図４】
2010116723.tif 000006